(57)【特許請求の範囲】
【請求項１】
ゴルフクラブ又はゴルフクラブを模した形状のスイング部材のクラブヘッドに相当する部分に発光体を取り付け、上記ゴルフクラブ又はスイング部材のスイング時の該発光体の光の残像による軌跡線によりクラブヘッド部分の軌道を練習者に認識させるゴルフスイング練習器において、
上記発光体は、上記クラブヘッド部分のフェイス面に相当する平面部にその面から所定距離だけ離して取り付け、上記発光体の近傍には、ゴルフクラブ又はスイング部材のクラブヘッド部分のフェイス面に相当する平面部に平行に反射板を設け、練習者が上記発光体の光自体及び上記反射板からの反射光の両者が描く光の軌跡線を残像現象により視認可能としたことを特徴とするゴルフスイング練習器。
【請求項２】
ゴルフクラブ又はゴルフクラブを模した形状のスイング部材のクラブヘッドに相当する部分に発光体を取り付け、上記ゴルフクラブ又はスイング部材のスイング時の該発光体の光の残像による軌跡線によりクラブヘッド部分の軌道を練習者に認識させるゴルフスイング練習器において、
上記発光体は、上記クラブヘッド部分のフェイス面に相当する平面部にその面から所定距離だけ離して取り付け、且つ、ゴルフクラブ又はスイング部材のクラブヘッド部分のフェイス面に相当する平面部にてクラブヘッドのスイートスポットに相当する部分と練習者の眼とを結ぶ線に略平行な線上に複数個配置し、練習者が該発光体からの複数本の光の軌跡線を残像現象により視認可能としたことを特徴とするゴルフスイング練習器。
【発明の詳細な説明】
【０００１】
【発明の属する技術分野】
本発明は、ゴルフを練習する人がゴルフクラブでゴルフボールを打つときのスイングフォームを練習するためのゴルフスイング練習器に関し、特に、スイングにおけるクラブヘッド部分の軌道を認識できると共に、その軌道上でのクラブヘッド部分のフェイス面の角度、向き及びスイングの状態を認識することができるゴルフスイング練習器に関する。
【０００２】
【従来の技術】
従来のこの種のゴルフスイング練習器は、例えば実開昭６１−１００４６２号公報及び実開昭６１−１２７７７０号公報に記載されているように、ゴルフクラブのヘッドの上面に発光端が位置すると共に当該ヘッドのスイートスポットを通る位置に所定間隔で２個の発光素子を配設し、これらの発光素子に給電する電池を上記ゴルフクラブのヘッド内又はシャフト内或いはグリップ内に着脱可能に収納して成っていた。
【０００３】
そして、このようなゴルフスイング練習器を用いてスイングフォームを練習するには、上記２個の発光素子を電池で給電して点灯させた状態で、練習者は、上記ゴルフクラブのグリップを握り、クラブヘッドのフェイス面でゴルフボールを打つときと同様なスイングを行う。このとき、上記点灯した２個の発光素子の移動した経路が残像現象により二つの光点の軌跡として視認され、練習者は、上記二つの光点の軌跡の間隔の変化、その交差する点の位置、光点の見えなくなる位置等から、自己のスイングフォームとインパクト時のフォームとを認識しようとしていた。
【０００４】
【発明が解決しようとする課題】
しかし、このような従来のゴルフスイング練習器においては、２個の発光素子がゴルフクラブのヘッドの上面に発光端が位置するように配設されており、ゴルフクラブのスイング方向に正対するクラブヘッドのフェイス面（垂直面）には何も設けられていないので、ゴルフクラブのグリップを握ってスイングを行う練習者は、そのスイングにおけるクラブヘッド全体の軌道は認識できるが、該クラブヘッドがゴルフボールにインパクトする瞬間のクラブヘッドのフェイス面の角度、向き等の姿勢を認識することはできなかった。また、実際のゴルフクラブのヘッドの上面に２個の発光素子を配設してゴルフスイング練習器を構成するのみであったので、全長が大きく、室内において簡易かつ安全に使用することはできなかった。
【０００５】
そこで、本発明は、このような問題点に対処し、発光体をクラブヘッド部分のフェイス面に相当する平面部に設けることにより、ゴルフクラブのスイングにおけるクラブヘッド部分の軌道を認識できると共に、その軌道上でのクラブヘッド部分のフェイス面の角度、向き及びスイングの状態を認識することができるゴルフスイング練習器を提供することを目的とする。
【０００６】
【課題を解決するための手段】
上記目的を達成するために、第１の発明によるゴルフスイング練習器は、ゴルフクラブ又はゴルフクラブを模した形状のスイング部材のクラブヘッドに相当する部分に発光体を取り付け、上記ゴルフクラブ又はスイング部材のスイング時の該発光体の光の残像による軌跡線によりクラブヘッド部分の軌道を練習者に認識させるゴルフスイング練習器において、上記発光体は、上記クラブヘッド部分のフェイス面に相当する平面部にその面から所定距離だけ離して取り付け、上記発光体の近傍には、ゴルフクラブ又はスイング部材のクラブヘッド部分のフェイス面に相当する平面部に平行に反射板を設け、練習者が上記発光体の光自体及び上記反射板からの反射光の両者が描く光の軌跡線を残像現象により視認可能としたものである。
【０００８】
また、第２の発明によるゴルフスイング練習器は、ゴルフクラブ又はゴルフクラブを模した形状のスイング部材のクラブヘッドに相当する部分に発光体を取り付け、上記ゴルフクラブ又はスイング部材のスイング時の該発光体の光の残像による軌跡線によりクラブヘッド部分の軌道を練習者に認識させるゴルフスイング練習器において、上記発光体は、上記クラブヘッド部分のフェイス面に相当する平面部にその面から所定距離だけ離して取り付け、且つ、ゴルフクラブ又はスイング部材のクラブヘッド部分のフェイス面に相当する平面部にてクラブヘッドのスイートスポットに相当する部分と練習者の眼とを結ぶ線に略平行な線上に複数個配置し、練習者が該発光体からの複数本の光の軌跡線を残像現象により視認可能としたものである。
【０００９】
【発明の実施の形態】
以下、本発明の実施の形態を添付図面に基づいて詳細に説明する。
図１は本発明によるゴルフスイング練習器の実施の形態を示す側面図であり、図２はその平面図である。このゴルフスイング練習器は、ゴルフを練習する人がゴルフクラブでゴルフボールを打つときのスイングフォームを練習するためのもので、ゴルフクラブ又はゴルフクラブを模した形状のスイング部材のクラブヘッドに相当する部分に発光体を取り付け、上記ゴルフクラブ又はスイング部材のスイング時の該発光体の光の残像による軌跡線によりクラブヘッド部分の軌道を練習者に認識させるようになっている。そして、上記ゴルフクラブを模した形状のスイング部材としては、図１及び図２に示すように、棒状部材１と、擬似ヘッド部材２と、発光体３と、反射板４と、電池（図示省略）とを備えて成るものがある。
【００１０】
上記棒状部材１は、ゴルフクラブのスイングフォームを練習する練習者が握ってスイングするもので、ゴルフクラブのシャフト及びグリップに相当し、グリップ部１ａと短いシャフト部１ｂとを有し、その軸方向の長さは実際のゴルフクラブのシャフト及びグリップの長さより短い所定長さとされている。
【００１１】
上記棒状部材１の先端部には、該棒状部材１の軸方向に沿って擬似ヘッド部材２が設けられている。この擬似ヘッド部材２は、ゴルフクラブのヘッドに相当する部分となるもので、例えば適宜の厚さで適宜の形状に形成された板状部材からなり、その重さは実際のゴルフクラブをスイングしたときの動的な重さ（慣性モーメント）が同じになるような所定重量とされている。また、その片面には、ゴルフクラブのスイング方向に正対するクラブヘッド部分のフェイス面（垂直面）に相当する平面部５が形成されている。なお、上記棒状部材１と擬似ヘッド部材２とを合わせたゴルフスイング練習器の全長Ｌ（図２参照）は、実際のゴルフクラブの長さより短くされており、室内でもスイングの練習をすることができる。
【００１２】
上記擬似ヘッド部材２の片面の平面部５には、１個の発光体３が設けられている。この発光体３は、ゴルフクラブのスイングフォームを練習するときにそのスイングにおけるクラブヘッド部分の軌道を光の残像現象による軌跡で示すもので、図１に示すように上記擬似ヘッド部材２の幅ｗ内の中央部付近に、図２に示すように上記平面部５の表面から所定距離ｄ1（例えば５mm程度）だけ離して設けられている。なお、この発光体３は、例えば発光ダイオード（ＬＥＤ）又は小形の豆電球などからなり、赤色又は緑色或いは白色などの光を発するようになっている。
【００１３】
上記棒状部材１又は擬似ヘッド部材２には、図示省略したが電池が内蔵されている。この電池は、上記発光体３に電力を供給するもので、図示省略のスイッチにより電力を供給又は遮断し、発光体３を点灯し又は消灯するようになっている。
【００１４】
上記擬似ヘッド部材２の片面の平面部５にて発光体３の近傍には、反射板４が設けられている。この反射板４は、上記発光体３からの光を反射して上記棒状部材１の一端部（グリップ部１ａ）を握った練習者がその反射光を視認しうるようにするもので、図１に示すように、例えば長方形状に形成され、発光体３の周囲にて練習者の眼６が位置する側に偏って上記平面部５に平行に張り付けられている。この反射板４は、表面が光を反射するように仕上げてあるものならば何でもよく、例えば金属、プラスチック、ガラスなどでできている。そして、上記反射板４は、練習者が棒状部材１のグリップ部１ａを握った状態でその眼６と発光体３とを結ぶ視線方向９において、該発光体３から距離ｄ2（例えば３０〜４０mm程度）だけ斜め方向に伸びている。これにより、図２に示すように、上記棒状部材１の一端部（グリップ部１ａ）を握った練習者からは、発光体３からの光が直接眼６に至る直接光７と、反射板４に当たって反射して眼６に至る反射光８とが見えることとなる。
【００１５】
この結果、練習者は、上記発光体３からの複数本の光７，８の軌跡を残像現象により視認することができる。したがって、１個の発光体３で２個の発光体３を設けたのと同様に複数本の光の軌跡を得ることができる。このとき、実光点と虚像光点とは、そのままクラブヘッド部分のフェイス面に直交するように配置される。また、上記実光点と虚像光点との間隔がフェイス面から発光体３への距離の２倍になるので、上記フェイス面と発光体３との間隔が狭くても複数本の光の軌跡幅を拡大することができる。
【００１６】
次に、上記発光体３と反射板４とによる直接光７及び反射光８の見え方について、図３〜図５を参照して説明する。まず、図３に示すように、このゴルフスイング練習器１０は、練習者が棒状部材１の一端部（グリップ部１ａ）を握り、擬似ヘッド部材２のクラブヘッド部分のフェイス面に相当する平面部５をスイング方向に正対させて斜め下方に構え、眼６で斜め下方に見下ろすようにする。この状態からゴルフスイング練習器１０をスイング後方に振り上げて、スイングプレーンに沿って棒状部材１を振り、ゴルフボールにインパクトするようにスイングする。
【００１７】
このとき、上記擬似ヘッド部材２のクラブヘッド部分のフェイス面に相当する平面部５がスイングプレーンにスクエアな動きをするとした場合は、直接光７及び反射光８の見え方は図４に示すようになる。すなわち、図４において、擬似ヘッド部材２がダウンスイングの後期において位置２ａから矢印Ａ，Ｂ，Ｃのようにスイングされ、位置２ｃでインパクトの状態となり、位置２ｅから矢印Ｃのようにフォローの状態にスイングされる。そして、上記ダウンスイング後期の位置２ａでは、発光体３ａからの光は、擬似ヘッド部材２ａに遮られて直接光７も反射光８も練習者の眼６からは見えない。その次の位置２ｂでは、発光体３ｂからの直接光７だけがぎりぎりに見える。その次のインパクトの位置２ｃでは、直接光７と反射光８の両方が見える。さらにその次の位置２ｄ，２ｅでは、直接光７だけが見える。
【００１８】
ここで、実際のゴルフクラブのスイングにおいては、スイング中のクラブヘッド部分の運動は、スイングプレーンに沿った振り子運動とシャフトの軸周りの回転運動とが合成されたものと考えることができる。このとき、インパクト位置では、クラブヘッド部分のフェイス面は概ねスイングプレーンに直角となる。インパクト位置の少し前では、通常はクラブヘッド部分のフェイス面は少し開いた状態からシャフトの軸周りの回転が加わって閉じながらインパクトに向かう。インパクト位置の後では、クラブヘッド部分のフェイス面はスイングプレーンに直角な角度から軸周りに徐々に閉じてフォローに向かう。
【００１９】
このようなクラブヘッド部分のフェイス面がシャフトの軸周りに回転して開いたり閉じたりするときの、直接光７及び反射光８の見え方は図５に示すようになる。すなわち、図５（ｂ）に示すように、擬似ヘッド部材２のクラブヘッド部分のフェイス面に相当する平面部５がスイングプレーンにスクエアな場合には、上記平面部５に平行に進んでくる直接光７だけが見え、スイングにおける発光体３からの光の軌跡として１本が見える。また、図５（ｃ）に示すように、上記平面部５がスイングプレーンに対し適宜の角度傾いて開いている場合（若干オープン）は、該平面部５に設けられた反射板４で発光体３の光が反射され、直接光７と反射光８とが見え、スイングにおける発光体３からの光の軌跡としては２本が見える。
【００２０】
さらに、図５（ｄ）に示すように、上記平面部５がスイングプレーンに対しかなり傾いて大きく開いている場合（かなりオープン）は、該平面部５に設けられた反射板４で発光体３の光が反射され、直接光７と反射光８とが離れて見え、スイングにおける発光体３からの光の軌跡としては２本が見える。また、図５（ａ）に示すように、上記平面部５がスイングプレーンに対し反対側に大きく傾いて閉じている場合（かなりクローズ）は、インパクトの手前までは発光体３からの直接光７と反射光８とが見えるが、インパクトの後では該平面部５に設けられた発光体３は擬似ヘッド部材２によって隠されてしまい、該発光体３からの直接光７も反射光８も見えず、スイングにおける発光体３からの光の軌跡は消えることとなる。このように、インパクト位置の近くにクラブヘッド部分がある状況では、発光体３からの光が上記平面部５で見え隠れするので、上記発光体３からの光が消える位置がインパクト位置として練習者に容易に認識される。
【００２１】
次に、このように構成されたゴルフスイング練習器１０の使用について説明する。まず、図３に示すように、練習者は、棒状部材１の一端部（グリップ部１ａ）を握り、擬似ヘッド部材２のクラブヘッド部分のフェイス面に相当する平面部５をスイング方向に正対させて斜め下方に構え、眼６で斜め下方に見下ろすようにする。この状態からゴルフスイング練習器１０をスイング後方に振り上げて、スイングプレーンに沿って棒状部材１を振り、ゴルフボールにインパクトするようにスイングする。このスイングの間に、上記平面部５に設けられた発光体３からの光の軌跡を残像現象により視認することにより、上記擬似ヘッド部材２のスイングの状態を認識する。
【００２２】
このとき、図４及び図５に示す光の軌跡の見え方の組合せにより、練習者のスイングの状態が図６に示すようないくつかのケースに分けて認識できる。まず、図６（ａ）は、ゴルフボールに対するインパクトゾーン１１の手前において直接光７と反射光８の２本の光が見え、上記インパクトゾーン１１に対し真横から当たると共にそこで両者が交わって直接光７だけとなり、インパクトゾーン１１の後方においてもしばらく直接光７が見えるケースである。この場合は、擬似ヘッド部材２の全体の軌道はスクエアの状態であり、該擬似ヘッド部材２は図５（ｃ）に示すように平面部５が若干開いた状態から徐々に閉じて図５（ｂ）に示すようにスクエアにインパクトを迎える状態であり、ノーマルな（理想的な）スイングであることを示す。
【００２３】
次に、図６（ｂ）のうち▲１▼は、ゴルフボールに対するインパクトゾーン１１の手前において直接光７だけの１本の光が見え、上記インパクトゾーン１１に対し外側から当たると共に内側に向けて抜け、インパクトゾーン１１の後方においてもわずかに直接光７が見えるケースである。この場合は、擬似ヘッド部材２の全体の軌道はアウトサイド・インの状態であり、該擬似ヘッド部材２は図５（ｂ）と（ａ）の中間において平面部５が若干閉じた状態のままインパクトを迎える状態であり、打球はいわゆる「引っ掛け」となるスイングであることを示す。
【００２４】
次に、図６（ｂ）のうち▲２▼は、ゴルフボールに対するインパクトゾーン１１の手前において直接光７だけの１本の光が見え、上記インパクトゾーン１１に対し内側から当たると共に外側に向けて抜け、インパクトゾーン１１の後方においてもわずかに直接光７が見えるケースである。この場合は、擬似ヘッド部材２の全体の軌道はインサイド・アウトの状態であり、該擬似ヘッド部材２は図５（ｂ）と（ａ）の中間において平面部５が若干閉じた状態のままインパクトを迎える状態であり、打球はいわゆる「強いフック系」となるスイングであることを示す。
【００２５】
次に、図６（ｃ）は、ゴルフボールに対するインパクトゾーン１１の手前において間隔の広い直接光７と反射光８の２本の光が見え、上記インパクトゾーン１１に対し真横から当たると共にそのまま後方に抜け、インパクトゾーン１１の後方においてもしばらく直接光７と反射光８の２本の光が見えるケースである。この場合は、擬似ヘッド部材２の全体の軌道はスクエアの状態であり、該擬似ヘッド部材２は図５（ｄ）に示すように平面部５が大きく開いた状態のままスクエアにインパクトを迎える状態であり、打球はいわゆる「大きなスライス」となるスイングであることを示す。
【００２６】
次に、図６（ｄ）は、ゴルフボールに対するインパクトゾーン１１の手前において直接光７と反射光８の２本の光が見え、上記インパクトゾーン１１に対し真横から当たると共にその前後で両者が消える（光が消える位置が定まらない）ケースである。この場合は、インパクトゾーン１１に至るまでは擬似ヘッド部材２の全体の軌道はスクエアの状態であり、該擬似ヘッド部材２は図５（ｃ）に示すように平面部５が若干開いた状態であるかも知れないが、手首の回転が早いスイングであり打球は「方向不安定」となるスイングであることを示す。
【００２７】
このようにして、練習者は、図６（ａ）〜（ｄ）に示すような光の軌跡及び本数を残像現象により視認することにより、上記擬似ヘッド部材２のスイングの状態をスイングの軌道とフェイス面に相当する平面部５の傾きとにより認識することができ、自己のスイングのパターンが図６（ａ）に示すようなパターンとなるよう練習することにより、ゴルフクラブでゴルフボールを打つときのスイングフォームを改善することができる。
【００２８】
図７は本発明の第二の実施形態を示す説明図である。この実施形態は、発光体３を、ゴルフクラブ又はスイング部材１２のクラブヘッド部分１３のフェイス面に相当する平面部５にてクラブヘッドのスイートスポット１４に相当する部分と練習者の眼６とを結ぶ線１５に略平行な線上に複数個配置し、練習者が該発光体３からの複数本の光の軌跡線を残像現象により視認可能としたものである。すなわち、図７の例では、ゴルフクラブ又はスイング部材１２のクラブヘッド部分１３のフェイス面に相当する平面部５にて、クラブヘッドのスイートスポット１４に相当する部分と練習者の眼６とを結ぶ線１５上に２個の発光体３ａ，３ｂを配置したものである。
【００２９】
この実施形態の場合において、クラブヘッド部分１３のフェイス面がシャフトの軸周りに回転して開いたり閉じたりしながらスイングするときの光の見え方は、基本的には前述の図５に示すと同様になるが、この場合は図８に示すように上記２個の発光体３ａ，３ｂからの直接光７ａ，７ｂのみとなる。すなわち、図８（ｂ）に示すように、平面部５がスイングプレーンに対しスクエアな場合には、練習者の眼６からは２個の発光体３ａ，３ｂが重なった状態に見え、それぞれの直接光７ａ，７ｂが重なって１本の光の軌跡線として見える。また、図８（ｃ）に示すように、上記平面部５がスイングプレーンに対しオープンな場合は、上記２個の発光体３ａ，３ｂは離れた状態に見え、それぞれの直接光７ａ，７ｂが別々に２本の光の軌跡線として見える。
【００３０】
さらに、図８（ａ）に示すように、上記平面部５がスイングプレーンに対しクローズドな場合は、上記２個の発光体３ａ，３ｂが図８（ｃ）とは逆の位置関係で離れた状態に見え、それぞれの直接光７ａ，７ｂが別々に２本の光の軌跡線として見える。ただし、図８（ａ）の場合は、インパクトの後では上記発光体３ａ，３ｂはクラブヘッド部分１３によって隠されてしまい、それぞれの直接光７ａ，７ｂは見えず、スイングにおける発光体からの光の軌跡線は消えることとなる。
【００３１】
そして、このような２個の発光体３ａ，３ｂからの光の軌跡線の見え方により、練習者のスイングの状態をいくつかのケースに分けて認識するのは、図６に示すと同様にして行えばよい。
【００３３】
また、前述のように、練習者は、図６（ａ）〜（ｄ）に示すような光の軌跡及び本数を残像現象により視認することによりスイングフォームを練習するが、ゴルフの練習を始めたばかりの初心者では、ゴルフスイング練習器１０のスイングにおける発光体３の光の軌跡がよく見えないことがある。また、見えてもそれが良いパターンなのか悪いパターンなのかが分からないことがある。したがって、スイングの練習が十分にできないことがある。そこで、上記ゴルフスイング練習器１０を使用している練習者の上方に、例えばテレビカメラを配置して、練習者がゴルフスイング練習器１０をスイングしているときの全体動作及び発光体３の光の軌跡を撮影すると共にこれらを録画しておき、その後この録画した画像を再生してテレビモニタに表示し、図６（ａ）〜（ｄ）のどのスイングフォームなのかを解析するようにすればよい。このようにすれば、初心者でも練習の成果を上げることができる。
【００３４】
【発明の効果】
本発明は以上のように構成されたので、請求項１に係る発明によれば、クラブヘッド部分のフェイス面に相当する平面部にその面から所定距離だけ離して取り付けられた発光体と、この発光体の近傍にてゴルフクラブ又はスイング部材のクラブヘッド部分のフェイス面に相当する平面部に平行に設けられた反射板とによって、練習者が上記発光体の光自体及び上記反射板からの反射光の両者が描く光の軌跡線を残像現象により視認可能とすることができる。これにより、上記クラブヘッド部分のスイングの状態をスイングの軌道とフェイス面に相当する平面部の角度、向きとにより認識することができ、自己のスイングのパターンが図６（ａ）に示すようなノーマルな（理想的な）パターンとなるよう練習することができる。この場合は、複数本の光の軌跡によってスイングの軌道上でのフェイス面に相当する平面部の角度、向きをより良く認識することができ、そのスイングにおけるインパクト時の打球がフック、ストレート、スライスの何れになるかの判定をより良くすることができる。また、本発明のゴルフスイング練習器として、実際のゴルフクラブの全長よりも短く形成されたゴルフクラブを摸した形状のスイング部材を用いた場合は、室内においても簡易かつ安全に使用することができる。
【００３５】
また、請求項２に係る発明によれば、クラブヘッド部分のフェイス面に相当する平面部にその面から所定距離だけ離して取り付けられ、且つ、ゴルフクラブ又はスイング部材のクラブヘッド部分のフェイス面に相当する平面部にてクラブヘッドのスイートスポットに相当する部分と練習者の眼とを結ぶ線に略平行な線上に複数個配置された発光体によって、練習者が上記発光体からの複数本の光の軌跡線を残像現象により視認可能とすることができる。これにより、上記クラブヘッド部分のスイングの状態をスイングの軌道とフェイス面に相当する平面部の角度、向きとにより認識することができ、自己のスイングのパターンが図６（ａ）に示すようなノーマルな（理想的な）パターンとなるよう練習することができる。この場合は、複数本の光の軌跡によってスイングの軌道上でのフェイス面に相当する平面部の角度、向きをより良く認識することができ、そのスイングにおけるインパクト時の打球がフック、ストレート、スライスの何れになるかの判定をより良くすることができる。また、請求項１と同様に、本発明のゴルフスイング練習器として、実際のゴルフクラブの全長よりも短く形成されたゴルフクラブを摸した形状のスイング部材を用いた場合は、室内においても簡易かつ安全に使用することができる。
【図面の簡単な説明】
【図１】本発明によるゴルフスイング練習器の実施の形態を示す側面図である。
【図２】図１の平面図である。
【図３】上記ゴルフスイング練習器の使用において練習者がそのゴルフスイング練習器を構えた状態を示す説明図である。
【図４】上記ゴルフスイング練習器の使用において、擬似ヘッド部材のクラブヘッド部分のフェイス面に相当する平面部がスイングプレーンにスクエアな動きをするとした場合の発光体からの直接光及び反射光の見え方を示す説明図である。
【図５】上記ゴルフスイング練習器の使用において、クラブヘッド部分のフェイス面がシャフトの軸周りに回転して開いたり閉じたりするときの、直接光及び反射光の見え方を示す説明図である。
【図６】練習者のスイングの状態をいくつかのケースに分けて認識する場合のパターンを示す説明図である。
【図７】本発明の第二の実施形態を示す説明図である。
【図８】第二の実施形態においてゴルフスイング練習器をスイングしたときの直接光の見え方を示す説明図である。
【符号の説明】
１…棒状部材
２…擬似ヘッド部材
３，３ａ，３ｂ…発光体
４…反射板
５…平面部
６…練習者の眼
７，７ａ，７ｂ…直接光
８…反射光
９…視線方向
１０…ゴルフスイング練習器
１１…インパクトゾーン
１２…スイング部材
１３…クラブヘッド部分
１４…スイートスポット
【図１】
0003995762.tif 000002
【図２】
0003995762.tif 000003
【図３】
0003995762.tif 000004
【図４】
0003995762.tif 000005
【図５】
0003995762.tif 000006
【図６】
0003995762.tif 000007
【図７】
0003995762.tif 000008
【図８】
0003995762.tif 000009